(57)【要約】【課題】画像表示システム、画像表示方法およびプログラムを提供すること。【解決手段】共有するべき画像を受け取って表示要素に表示することにより共有画像として表示する画像表示システム１００は、表示要素１０２を備え、表示する画像を共有可能に映像化する電子情報ボード手段１１０と、画像表示システム１００で発生した所定のイベントに同期して表示要素１０２において共有されている画像を画像データとして作成し、画像データの作成と並列して画像データを索引付ける情報を収集してメタデータを作成する。メタデータおよび画像データは、検索可能に対応付けて登録するデータベース１２０に格納され、コンピュータ１４０から送付される検索条件に一致するメタデータに索引付けされた画像データを検索し、表示領域に再生表示している。【選択図】図１
2012058799.tif 000002
【特許請求の範囲】
【請求項１】
共有するべき画像を受け取って表示要素に表示することにより共有画像として表示する画像表示システムであって、
前記表示要素を備え、表示する画像を共有可能に映像化する電子情報ボード手段と、
前記画像表示システムで発生した所定のイベントに同期して前記表示要素において共有されている画像を画像データとして作成するデータ作成手段と、
前記画像データの作成と並列して前記画像データを索引付ける情報を収集してメタデータを作成するメタデータ作成手段と、
前記メタデータと前記画像データとを検索可能に対応付けて登録するデータベース手段と、
前記画像データを検索するための検索条件を設定可能とし、前記検索条件に一致するメタデータに索引付けされた画像データを検索し、表示領域に再生表示する画面再生手段と
を含む、画像表示システム。
【請求項２】
前記画像データは、少なくとも前記電子情報ボードに手書記述された画像から生成されるデータ、情報処理装置のデスクトップ画面で手書された画像から生成されるデータ、または前記表示要素に共有可能とされた画像の画像データである、請求項１に記載の画像表示システム。
【請求項３】
前記メタデータは、画像データとされるべき各画像を生成するための操作モードの識別情報を含む、請求項１または２に記載の画像表示システム。
【請求項４】
前記メタデータは、さらに前記共有画像が作成された集会を指定するための集会情報、時刻情報、および画像を作成した主体を識別するための作成主体情報を含む、請求項１〜３のいずれか１項に記載の画像表示システム。
【請求項５】
前記画面再生手段は、前記操作モード、作成主体情報の論理和または論理積を検索条件として前記画像データを検索し、検索された画像データのみを時系列的にソーティングして再生表示する、請求項１〜４のいずれか１項に記載の画像表示システム。
【請求項６】
前記表示要素は、タッチパネル機能を備える、請求項１〜５のいずれか１項に記載の画像表示システム。
【請求項７】
前記画面再生手段は、前記電子情報ボードに画像を送付するコンピュータが含む、請求項１〜６のいずれか１項に記載の画像表示システム。
【請求項８】
前記電子情報ボードと、前記コンピュータとは、ネットワークで相互接続され、前記メタデータを前記ネットワークに接続された複数のコンピュータにより共有する、請求項７に記載の画像表示システム。
【請求項９】
共有するべき画像を外部から受け取って表示要素に表示することにより共有画像として表示するための画像表示システムが実行する画像表示方法であって、
共有するべき画像を外部から取得して共有可能に映像化するステップと、
前記画像表示システムで発生した所定のイベントに同期して前記表示要素において共有されている画像を画像データとして作成するステップと、
前記画像データの作成と並列して前記画像データを索引付ける情報を収集してメタデータを作成するステップと、
前記メタデータと前記画像データとを検索可能に対応付けてデータベースに登録するステップと、
前記画像データを検索するための検索条件を設定可能とし、前記検索条件に一致するメタデータに索引付けされた画像データを検索し、表示領域に再生表示するステップと
を含む、画像表示方法。
【請求項１０】
表示する画像を外部から取得して共有可能に映像化するステップは、前記表示する画像をビデオ信号として取得するか、またはネットワークを経由してファイル転送によって取得するステップを含む、請求項９に記載の画像表示方法。
【請求項１１】
前記メタデータは、前記共有画像が作成された集会を指定するための集会情報、画像データとされるべき各画像を生成するための操作モードの識別情報、時刻情報、および画像を作成した主体を識別するための作成主体情報を含み、
前記表示領域に再生表示するステップは、前記操作モードの識別情報および前記作成主体情報から生成される検索条件を使用して前記メタデータを検索するステップと、
前記検索されたメタデータに紐付けられた画像データを時系列的にソーティングして再生表示するステップと
を含む、請求項請求項９または１０のいずれか１項に記載の画像表示方法。
【請求項１２】
少なくとも前記メタデータを共有可能に格納するステップを含む請求項９〜１１のいずれか１項に記載の画像表示方法。
【請求項１３】
コンピュータを共有画像から生成された画像データを検索するためのフロントエンド端末として機能させるためのコンピュータ実行可能なプログラムであって、前記プログラムは、前記コンピュータを、
表示要素を備え、表示する画像を共有可能に映像化する電子情報ボード手段に表示する機能手段、
前記コンピュータまたは前記電子情報ボードで発生した所定のイベントに同期して前記表示要素において共有されている画像から作成された画像データを検索するための検索条件を設定する機能手段、
前記検索条件で、前記画像データの作成と並列して前記画像データを索引付ける情報を収集して作成され、データベースに前記画像データとを検索可能に対応付けて登録されたメタデータを検索する機能手段、
前記検索条件に一致するメタデータで索引付けされた画像データを検索し、前記コンピュータの表示領域に時系列的に並べて再生表示する機能手段
として機能させる、プログラム。
【請求項１４】
前記メタデータは、前記共有画像が作成された集会を指定するための集会情報、画像データとされるべき各画像を生成するための操作モードの識別情報、時刻情報、および画像を作成した主体を識別するための作成主体情報を含んで作成され、前記データベースに共有可能に格納される、請求項１３に記載のプログラム。
【請求項１５】
共有させるための画像を、前記電子情報ボードがビデオ信号またはネットワークを介したファイル転送により取得する、請求項１３または１４に記載のプログラム。
【発明の詳細な説明】
【技術分野】
【０００１】
本発明は、画像表示技術に関し、より詳細には、効率的な画像再生のための画像表示システム、画像表示方法およびプログラムに関する。
【背景技術】
【０００２】
液晶やプラズマなどのフラットパネルは近年、大画面化・低価格化が進み、プロジェクタにより、４０インチ〜６０インチ程度のサイズのタッチパネルを搭載した、大型ディスプレイが、いわゆる電子情報ボードといった製品として市場において知られている。電子情報ボードは、典型的にはコンピュータを接続することによって、接続されたコンピュータの画面を拡大して表示することができ、会議、講義その他のプレゼンテーションなど、コンピュータの画面に表示するべき映像を共有させる用途に用いられている。
【０００３】
また、電子情報ボードは、その搭載するタッチパネル機能を用いて、映されている画面にマウス操作の代わりに直接タッチすることも可能とされ、画面を表示しているパソコンに対してタッチパネルからの操作も可能とされている機種も知られている。さらに、接続したパソコン上で実行され、電子情報ボードとの間で各種制御を可能とするための電子黒板アプリケーションソフトウエアもこれらの機器と共に提供されている。
【０００４】
電子黒板アプリケーションソフトウエアの代表的な機能としては、（１）黒板の役割をする画面を提供し、ボード上に手書きされる文字などをタッチパネルを介して取得し、イメージ変換する機能および（２）このアプリケーションを提供するパソコンの画面を取り込んでその上に手書きを重畳して描く機能などを挙げることができる。
【０００５】
一方、電子情報ボードの表示内容を記録する方式としては、画面のスナップショットをキャプチャし、静止画として記録する方法、画面を動画として記録する方法、音声や操作履歴などを映像に同期させて記録する方法などがある。また、記録した映像の検索を効率的に行うための技術も知られており、例えば、特開平６−２０５１５１号公報（特許文献１）には、会議の議事内容が出現した経緯などを記録しておき、記録した情報と音声映像情報とを対応付けるインデックスを作成し、インデックス情報に基づいて音声映像情報を検索・再生する技術が知られている。
【発明の概要】
【発明が解決しようとする課題】
【０００６】
しかし、今までの画面のスナップショットをキャプチャし静止画として記録する方法を使用する場合、記録した静止画を用いて画面表示履歴を再現しようとすると、画面の再生処理に時間がかかるという問題があった。この様な問題は、例えば、会議などの集会終了後の議事録を作成しようとして集会の内容を再現する場合、再生のための処理オーバーヘッドが大きく、この結果、自分が見たい画面がどこにあるかを検索するのに手間がかかり、また探すのが難しいという問題点があった。
【０００７】
加えて、集会に参加しなかった人は、集会の重要な箇所の見当がつかず、検索しようにも特定のキーワードや内容を実際に判断しながら最初から画面を再生するしかない。また、会議に途中から参加した人が、すでに行われてしまった会議の内容をフォローアップするための再生して利用しようと思っても、データ再生に時間がかかるので、現在の内容のフォローアップは難しいという問題点もあった。
【０００８】
上述した各種の問題のため、従来の画面表示を再現する技術は、会議・ミーティングなどの集会の全体的な振り返りのために利用するのは難しかった。
【課題を解決するための手段】
【０００９】
本発明は、上述した従来技術の問題点に鑑みてなされたものであり、本発明は、画像表示システムは、電子情報ボードと、電子情報ボードに対して資料データを送付して資料データを共有させるためのフロントエンド端末として機能するコンピュータとを含んで構成されている。画像表示システムは、電子情報ボードに表示される資料データや手書されたイメージから集会後にレビューするための画像データを作成する。また、画像データが作成された時点で同期的にメタデータが生成され、生成されたメタデータは、画像データを参照可能に画像データとともにデータベースに登録される。
【００１０】
一方、フロントエンド端末は、特定の集会において記録された画像データを検索するための画像再生部を備えており、画像再生部は、フロントエンド端末のデスクトップ画面上に画像再生ウィザードを提供し、メタデータを検索条件として設定し、作成された画像データ全体の中からメタデータが検索条件に一致する画像のみを取得して、画像再生の目的に応じた効率的な集会のレビューを可能とする。
【００１１】
また、本発明では、画像表示システムは、電子情報ボードと複数のフロントエンド端末とをネットワークで接続して構成することもでき、議事録、画像データの共用性を高めながら、効率的な集会のレビューを可能とする。
【図面の簡単な説明】
【００１２】
【図１】本実施形態の画像表示システム１００を示した図。
【図２】本実施形態の画像表示システム１００の機能ブロック図。
【図３】本実施形態の画像表示システム１００が実行する処理の実施形態を示す図。
【図４】本実施形態のメタデータのデータ構造を示す図。
【図５】本実施の画像表示システム１００が表示する画像再生ウィザードの実施形態を示す図。
【図６】本実施形態の画像表示システム１００の画像表示の第２の実施形態を示す図。
【図７】本実施形態における第２の実施形態の画像表示システム８００を示す図。
【図８】図７に示した画像表示システム８００の機能ブロックを示す図。
【図９】画像表示システム８００が実行する画像表示方法のフローチャート。
【図１０】本実施形態で、ＰＣ８２０のデスクトップ画面上に表示される表示ウィザード１１００および表示される画像シーケンス１１２０を示す図。
【図１１】参加者を指定し、特定の参加者が会議において行った電子情報ボード８１０を利用したプレゼンテーションシーンを画像シーケンスとして表示させる実施形態を示した図。
【図１２】第３の実施形態の画像表示システム１３００を示す図。
【図１３】図１２に示した画像表示システム１３００の機能ブロック図を、電子情報ボード１３１０および特定のＰＣ１３５０ａについて例示的に示す図。
【図１４】本実施形態の画像表示システム１５００が実行する処理のフローチャート。
【図１５】本実施形態の画像表示システム１３００のＰＣ１３５０ａが表示する表示ウィザード１６００および画像シーケンスの実施形態を示す図。
【図１６】本実施形態により形成される画像シーケンスの他の実施形態を示す図。
【発明を実施するための形態】
【００１３】
以下、本発明を実施形態をもって説明するが、本発明は、後述する実施形態に限定されるものではない。図１は、本実施形態の画像表示システム１００を示す。画像表示システム１００は、いわゆる電子情報ボードとして参照される電子情報ボード１１０と、コンピュータ１４０とを含んで構成されている。電子情報ボード１１０は、コンピュータ１４０のデスクトップ画面上に表示される画像を、例えば、ＶＧＡ、ＸＧＡなどの画像再生フォーマットを使用し、ライン１０４を介して電子情報ボード１１０にビデオ信号として送信し、電子情報ボード１１０による表示を可能としている。電子情報ボード１１０は、液晶表示パネルといった大画面の表示要素１０２を含んで構成されていて、コンピュータ１４０から送付されたビデオ信号を拡大表示して複数の参加者に対して共有させている。
【００１４】
また、本実施形態では、電子情報ボード１１０が備える表示要素１０２は、タッチパネル機能を含んでいてもよく、電子情報ボード１１０に相対してプレゼンテーションを行っている参加者のタッチにしたがって画像を識別し、タッチ位置の移動を検出してその軌跡を、ＵＳＢなどの適切なライン１０６を使用してコンピュータ１４０に送付する。コンピュータ１４０は、ライン１０６から取得した軌跡を解析し、適切なスムージング処理などを施してビデオ信号として生成し、ライン１０４を介して逆に電子情報ボード１１０に送付し、表示を可能とさせている。
【００１５】
また、表示要素１０２には、タッチパネル機能として、頁送り・頁戻し・手書きのコマンドを発生させるための領域に対応して、イメージ１０８が表示されている。電子情報ボード１１０は、参加者による画面のタッチにしたがって位置座標取得し、コンピュータ１４０へと取得した位置座標を送付することで、コンピュータ１４０に対して位置座標に対応するコマンド生成を可能とし、遠隔的にコンピュータ１４０を制御することができる構成とされている。
【００１６】
コンピュータ１４０は、画像表示システム１００におけるフロントエンド端末として機能し、ユーザが資料を作成したり、スナップショットイメージなどを検索するためのフロントエンド端末として機能する。説明する実施形態では、コンピュータ１４０は、データベース１２０を含んでおり、電子情報ボード１１０に表示された画面に対し、画面を識別させるためのメタデータを生成し、画面に対応付けてデータベース１２０に登録している。データベース１２０に登録されるデータとしては、プレゼンテーションに利用するべき、適切なアプリケーションで作成された資料データ１２４、電子情報ボード１１０から送付された手書データ１２６、資料データに対して手書データなどが重畳される可能性があり、電子情報ボード１１０の表示要素上において共有されている画像全体を画像データとしたスナップショットデータを登録するスナップショットログ１３０、コンピュータ１４０を管理するユーザを識別するユーザ情報データ１２２、電子情報ボード１１０に直接手書されたデータを画像データとしたＷＢデータ１２８、および各データを固有に識別するためのメタデータ１３２を含むことができる。
【００１７】
コンピュータ１４０および電子情報ボード１１０の表示サイズの調整は、コンピュータ１４０の接続に同期してコンピュータ１４０が起動する電子情報ボード制御アプリケーションによって実行される。このため、電子情報ボード１１０上の描画位置が正確にコンピュータ１４０のデスクトップ画面上にマッピングされる。
【００１８】
電子情報ボード１１０に相対しプレゼンテーションを行っている参加者は、プレゼンテーションの進行にしたがって、表示要素１０２上に表示された各種のイメージ１０８にタッチすることにより、例えば頁送り・頁戻し・手書きを指令することができる。電子情報ボード１１０は、画面上での静電容量などの変化を検出し、対応する表示要素上の位置座標に変換し、当該位置座標をライン１０６を介してコンピュータ１４０に送付し、コンピュータ１４０を遠隔制御することで、自己の予定するプレゼンテーションを進行させている。
【００１９】
図２は、本実施形態の画像表示システム１００の機能ブロック図である。まず電子情報ボード１１０の機能ブロックから説明する、電子情報ボード１１０は、画面表示部１１２と、ビデオ入力部１１４と、座標検知部１１６と、座標出力部１１８とを含んで構成されている。画面表示部１１２は、表示要素１０２に表示するための画面を制御する機能を提供する。また、ビデオ入力部１１４は、コンピュータ１４０から送付されるビデオ信号をＶＧＡ、ＸＧＡなどの適切なフォーマットにしたがって取得し、画面表示部１１２に送付することで、コンピュータ１４０が表示するべきイメージを、表示要素１０２上に表示させている。
【００２０】
座標検知部１１６は、プレゼンテーションを行っている参加者が表示要素１０２上にタッチすることによる静電容量などの変化を検知して割り当てられた位置座標を検出する従来のタッチパネル制御部を含んで構成することができる。座標検知部１１６は、静電容量の変化を検出すると、当該位置を計算して表示要素中における位置座標に変換し、その値を座標出力部１１８に送付する。座標出力部１１８は、位置座標を取得すると、取得した位置座標の値をコンピュータ１４０に送付し、コンピュータ１４０においてイベント生成を判断するための電子情報ボード１１０での操作に関連する位置座標として利用可能とさせる。
【００２１】
コンピュータ１４０は、ビデオ出力部１４２と、座標入力部１４４とを含んでいる。ビデオ出力部１４２は、コンピュータ１４０がその表示のために生成したビデオ信号を、例えばＶＧＡコネクタから電子情報ボード１１０に送付して、表示させる。また、座標入力部１４４は、電子情報ボード１１０から送付された位置座標を取得して、各種の制御を可能とする。
【００２２】
コンピュータ１４０は、さらに、資料再生部１４６と、手書処理部１４８と、ＷＢ制御部１５０とを含んで構成されている。資料再生部１４６は、プレゼンテーションに使用するための資料データを作成したアプリケーションか、またはビュワーとして構成することができる。また、手書処理部１４８は、コンピュータ１４０のデスクトップ画面からの手書モードにおいて手書描画を受け付けたり、または電子情報ボード１１０からＷＢモードで入力された位置座標を取得してイメージを生成する処理を実行する。本実施形態において、画像表示システム１００の操作モードとしては、表示モード、手書モード、およびＷＢモードの３つのモードを採用することができる。なお、参加者の手書は、コンピュータ１４０のデスクトップ画面からでも、ＷＢモードでの電子情報ボード１１０への直接描画でも可能であるが、手書きモードとＷＢモードとは、同時に呼び出される機能ではない。
【００２３】
表示モードは、表示先を電子情報ボード１１０にするか、コンピュータ１４０のデスクトップにローカライズさせるかの切り替え制御を行うモードである。手書モードは、コンピュータ１４０のデスクトップ画面上に表示された描画エリアからの手書イメージを資料データに重畳して表示させるモードである。さらに、ＷＢ(White Board)モードは、電子情報ボード１１０の表示要素に直接手書されたイメージを電子情報ボード１１０に表示させるモードである。
【００２４】
なお、手書処理部１４８は、手書イメージを資料を表示させるレイヤとは別にレイヤを定義して、別々に処理を行うこともできるし、資料データに対して手書データをリンクさせたり、埋め込むようにして統合して保存できる形式とすることもできる。
【００２５】
ＷＢ制御部１５０は、電子情報ボード１１０へのコンピュータ１４０のデスクトップ画面の表示を制御しており、表示先切り替え、画面サイズ調整、およびＷＢモードで取得した軌跡を、例えばベジェ曲線などを当てはめて画像データとして電子情報ボード１１０に表示させる処理を実行する。なお、手書により生成されるイメージは、コンピュータ１４０のデスクトップ画面および電子情報ボード１１０の表示要素への描画の２系統で行われ、それぞれ手書処理部１４８およびＷＢ制御部１５０がその処理を担当し、いずれも手書されたイメージをベクトルデータに変換し、スムージング処理を施すことにより、違和感のない画像を最小の時間遅延で表示可能とする。
【００２６】
コンピュータ１４０は、適切なイベント、例えば頁送り・頁戻し、または手書開始／終了などに関連する、画面タッチ、マウスクリックなどのマウスイベント、または「Ｅｎｔｅｒ」、「Ｃｒｔｌ＋Ｚ」などのキーボードイベントを検出するイベントハンドラ１６２を含んで構成されている。イベントハンドラ１６２は、コンピュータ１４０および電子情報ボード１１０の両方またはいずれか一方からのイベントを検出すると、当該イベントが所定のイベントであるか否かを判断し、その処理に対応する処理部を呼び出して制御を渡す処理を実行している。コンピュータ１４０は、さらにモード切替部１５２と、データ作成部１５４と、ユーザ情報取得部１５６とを含んでいる。
【００２７】
モード切替部１５２は、資料データの表示先をコンピュータ１４０のデスクトップ画面にするか、電子情報ボード１１０にするか、またはその両方に表示するかという、表示モード、手書モード、またはＷＢモードであるか否かの判断および各処理部の呼び出し制御などを実行する。またモード切替部１５２は、適切なバッファメモリを備えていて、現在、電子情報ボード１１０がどのような操作モードまたは操作モードの組み合わせにあるかを、例えば後述するメタデータ作成部１５８からの要求に対応して、現在のモード情報をメタデータとして追加することを可能とさせている。
【００２８】
データ作成部１５４は、電子情報ボード１１０の表示要素１０２上に表示された画面、手書データおよびＷＢデータそれぞれを、別々にデジタルイメージデータに変換し、適切なフォーマット、例えばＰＤＦ、ＧＩＦ、ＪＰＥＧ、ＴＩＦＦ、ＰＮＧなどの画像データとしてデータベース１２０に、手書データ１２６、ＷＢデータ１２８、および画面全体を統合したデータであるスナップショットデータを蓄積するスナップショットログ１３０として管理させている。
【００２９】
ユーザ情報取得部１５６は、コンピュータ１４０を使用している参加者を固有に識別するためのユーザ情報を、データベース１２０のユーザ情報から取得し、メタデータとして追加する処理を実行する。図示する実施形態では、ユーザ情報は、データベース１２０と言ったローカルデータベースに登録されているものとして説明しているが、ユーザ情報をＬＤＡＰ(Lightweight Directory Access Protocol)を利用し、リモートに配置されたユーザ情報データベースにアクセスして取得することもできる。
【００３０】
メタデータ作成部１５８は、画像データを固有に識別するためのメタデータを生成し、画像データに対応付けて登録する。メタデータは特に限定するものではないが、ＸＭＬといった構造化文書として生成し、ＤＯＭ、ＳＡＸなどの検索機能により効率的な階層構造検索を可能とすることが好ましい。また、メタデータは、より汎用性を付与する目的でＲＤＦ(Resource Description Framework)のフォーマットにしたがって記述することもできる。
【００３１】
さらにコンピュータ１４０は、画面再生部１６０を備えており、画面再生部１６０は、本実施形態にしたがい、メタデータにより特定された画像データを読み込んで、コンピュータ１４０のデスクトップ画面または電子情報ボード１１０の表示要素１０２上にスナップショットを表示させている。
【００３２】
図３は、本実施形態の画像表示システム１００が実行する処理の実施形態を示す。以下、コンピュータ１４０を図中に記述に対応付けるため、単にＰＣ１４０として参照する。図３の処理は、ステップＳ３００で、参加者またはＰＣ１４０のオペレータがコンピュータ１４０を操作して開始する、ステップＳ３０１でＰＣ１４０が所定のイベントを生成し、ステップＳ３０２で当該イベントを例えばイベントハンドラといったイベントハンドラが検出する。一方、電子情報ボード１１０もイベントを生成することができ、当該イベントは、本実施形態では、ステップＳ３１１において、プレゼンテーションを行っている参加者がタッチパネルにタッチすることにより開始され、ステップＳ３１２で、当該タッチに対応するイベントが生成される。
【００３３】
生成されたイベントは、ＰＣ１４０のイベントハンドラ１６２に送付され、ステップＳ３０２でイベント受信として処理される。ＰＣ１４０のイベントハンドラは、ＰＣ１４０および電子情報ボード１１０からのイベントをいずれか一方または両方を統合して処理する。イベントの送付元により呼び出すべき機能処理部が異なるので、ＰＣ１４０は、ステップＳ３０３で、現在ＰＣ１４０が実行している操作モードを識別するためのモード情報を取得する。モード情報は、例えばＷＢ制御部１５０、手書処理部１４８、資料再生部１４６などが起動・終了したときにその状態を登録するフラグや識別値を、モード切替部１５２などの適切な機能処理部に管理させておき、ステップＳ３０３における参照に利用させることができる。
【００３４】
ステップＳ３０４で、取得したモード情報についてＰＣモード、手書モード、またはＷＢモードのいずれか、またはそれ以外かの判断を行う。ステップＳ３０４の判断でモード情報が、ＰＣ、手書、ＷＢモードのいずれでもない場合（ｎｏ）、処理をステップＳ３１３に進め、一連の処理を終了する。また、ステップＳ３０４で、ＰＣ、手書、ＷＢモードのいずれかと判断された場合（ｙｅｓ）、ステップＳ３０５でイベントが所定のイベントであるか否かを判断する。
【００３５】
所定のイベントとしては、上述したように一連の操作が終了したことを示す、「Ｃｌｉｃｋ」か、または「Ｅｎｔｅｒ」などを例示することができるが、これら以外にもアプリケーションで特定される終了動作、例えば「Ｃｒｔｌ＋Ｃ」などのキーイベントでもよい。ステップＳ３０５で、所定のイベントではない場合（ｎｏ）、制御をステップＳ３１３に渡し、処理を終了する。一方、ステップＳ３０５でイベントが所定のイベントである場合（ｙｅｓ）処理をステップＳ３０６およびステップＳ３０８に分岐させ、スナップショットの生成とメタデータの生成を並列的に実行する。
【００３６】
ステップＳ３０６では、電子情報ボード１１０に表示されている画面をＰＣ１４０が、資料データ、手書データ、および電子情報ボード１１０の表示要素上に置いて参加者全員に共有されているイメージを、それぞれ適切なフォーマットの画像データとし、ステップＳ３０７で固有の識別値を付してデータベースのスナップショットログに登録して保存する。これと並列的に、ステップＳ３０８では、ＰＣ１４０がユーザ情報を取得して、ステップＳ３０９でモード情報、イベント情報およびタイムスタンプなどの情報とともにメタデータを生成する。ステップＳ３０７で生成された画像データを固有に識別する識別値に紐付けしてステップＳ３１０でデータベース１２０にメタデータを登録し、ステップＳ３１３で処理を終了する。
【００３７】
図４は、本実施形態のメタデータのデータ構造を示す。以下、説明の便宜の目的で電子情報ボード１１０を利用する特定の集会を会議とし、当該会議を特定するためのメタデータ４００の構造を用いて以下に説明する。メタデータ４００は、会議ごとに識別され、会議を特定するためのメタデータ４０２と、当該会議を記録した画像データを特定するための画像コンテナ４１６とを含んで構成される。メタデータ４０２は、会議を指定するための会議名、場所、日付、開始時、終了時、参加者、共有画像などをプロパティとして階層構造を形成しており、各プロパティ毎にそれぞれデータがＸＭＬなどの構造化言語により記述されて行く。プロパティはそれぞれ階層構造を記述するライン上に記載して示す。メタデータの内容としてはより詳細に、会議を固有に識別するための会議ＩＤ４０４、会議の催された場所を特定するための場所４０６、会議の日付４０８、開始時間４１０、終了時間４１２および参加者４１４を記述するデータを含んで記述される。
【００３８】
これらのメタデータは、会議の開始時に例えば、電子情報ボード１１０を制御するためのＷＢ制御部１５０を起動した時点でオペレータが入力することで生成することができる。会議を特定するメタデータ４０２は、会議自体を検索するなどの目的で利用することができ、本実施形態の画像表示システム１００の要旨ではないので、これ以上の説明は省略する。
【００３９】
本実施形態の画像表示システム１００は、画像データを、コンテナなどの特定の属性を有するデータクラスとして分類し、検索の効率化を行っている。画像データは、会議の特定のシーン、例えば、頁送り、設定時間間隔などを単位とし、会議の進行に合わせて内容が変化する可能性のある画面を登録し、それに紐付けながら画像データを識別するための画像データ１といった識別子として構成されるメタデータ４１６ａ〜４１６ｎを、同期的に作成し、メタデータ４０２の画像データを指定するメタデータ階層に登録する。このため、会議が特定され次第、会議の内容を示す画像データを効率的に検索することが可能となる。
【００４０】
メタデータ４１６ａ〜４１６ｎには、さらにそれぞれにモード情報、イベント情報、タイムスタンプの他、画像データを固有に識別するための識別値が登録されていて、データベース１２０に格納された各画像データを参照可能としている。そして、例えば画像データ４１６ｂは、さらにファイル名４１６ｂ１、生成された時間４１６ｂ２、参加者４１６ｂ３および生成された時のモード４１６ｂ４といったメタデータが紐付けられていて、設定された条件に基づいた相互検索を可能としている。なお、説明の便宜上、画像データ４１６ｂ以外の説明は省略するが、上述した画像データ４１６ｂと同様の展開が可能である。
【００４１】
図５は、本実施の画像表示システム１００が表示する画像再生ウィザードの実施形態を示す。図５に示す画像再生ウィザードは、ＰＣ１４０のデスクトップ画面上に、議事録作成や会議内容レビューのために提供される。図５に示す画像再生ウィザード６００には、画像を表示するための表示領域６０６が設けられていて、検索された画像データや指定されたスキームにしたがって抽出される画像データが表示領域６０６に順次表示される構成となっている。
【００４２】
画像データを表示させるためのスキームを指定するために、プルダウンリスト６０２およびプルダウンリスト６０４が設けられていて、オペレータは、プルダウンリスト６０２、６０４から検索・表示するデータ（画像データだけとは限らない）を特定するためのメタデータのキーワードを選択する。表示するスキームを選択する実施形態を表示画面６１０として示す。図５に示されるように、プルダウンリスト６１２をオペレータがクリックすることにより、検索して表示するべき操作モードを指定することができる。また、プルダウンリスト６１４をクリックすれば、会議に登録されているメタデータのうち、特定の参加者についてのデータが検索される。
【００４３】
オペレータが指定を終了して、表示開始を指定するアイコン６１８をクリックすることで検索および抽出が開始される。検索は、メタデータを階層構造にしたがってＤＯＭ、ＳＡＸ、またはＳＰＡＲＱＬ（SPARQL Protocol and RDF Query Language）などに基づいて行うことができ、全メタデータを網羅的に都度検索する必要がないので、検索空間を削減でき、効率的な検索を可能とし、ひいては効率的な会議のレビューを可能とする。図５には、本実施形態により表示される画像シーケンス６２０を示す。画像シーケンス６２０には、説明のため、検索条件に関連するメタデータを並列的に記載している。画像シーケンス６２０は、参加者Ａに関連するプレゼンテーションのために行った行動、例えば試料データの頁送り、各種モードからの手書動作の各データが時間シーケンスにしたがってソーティングされて表示される。他の表示形式も可能であり、例えば表示領域６１６にサムネイルなどとして表示しておき、ユーザが注目する画像データのみを拡大して別ウィンドウに表示させることもできる。
【００４４】
図６は、本実施形態の画像表示システム１００の画像表示の第２の実施形態を示す。図６に示した実施形態では、オペレータが、検索・表示させるべきデータを、ＰＣ１４０が再生表示した画像および参加者Ａがプレゼンテーションを行う際に電子情報ボード１１０に手書した画像を検索することを希望する場合の設定および画像シーケンス７２０を示す。オペレータは、表示ウィザード７００から、参加者Ａを指定し、プルダウンリスト７０２でＰＣ＋ＷＢのメタデータの論理積として検索されるデータを検索するようにＰＣ１４０に指令する。
【００４５】
ＰＣ１４０は、アイコン７０４から再生指令を受領すると、データベース１２０の検索を開始し、検索されたデータをタイムスタンプの古い方から順に表示領域７０６に表示させることで、画像シーケンス７２０が、表示領域７０６に表示される。なお画像シーケンス７２０は、タイムスタンプの古い順とすることはなく他の基準に従って表示させることもできるが、会議のレビューを行うことを目的とする場合には、タイムスタンプを基準としてシーケンスを生成することが好ましいということができる。
【００４６】
図７は、本実施形態における第２の実施形態の画像表示システム８００を示す。画像表示システム８００は、電子情報ボード８１０と、ＰＣ８２０とを含んで構成されている。電子情報ボード８１０は、図７の実施形態では、組み込みＣＰＵ（図示せず）を含んでいて、データベース８４０を管理することが可能とされており、データベース８４０には、スナップショットログ８４２およびメタデータ８４４が格納されている。
【００４７】
図７に示した実施形態では、スナップショットログが、電子情報ボード８１０により管理されているため、例えば会議の途中から参加したＰＣ８２０のオペレータ（以下、参加者Ｂとして参照する。）がそれまでの会議の内容をレビューすることが可能となる。
【００４８】
ＰＣ８２０は、データベース８３０を管理しており、データベース８３０は、途中から会議に参加した参加者Ｂがプレゼンテーションするための資料データ８３２と、ＰＣ８２０から手書入力した結果生成された手書データ８３４と、参加者Ｂのユーザ情報データ８３６と、電子情報ボード８１０から入力されたイメージでから生成される画像データであるＷＢデータ８３８を格納し、検索および新規追加などの管理を行っている。
【００４９】
また、ＰＣ８２０と電子情報ボード８１０とは、ＶＧＡなどのフォーマットで電子情報ボード８１０に対して画像を表示させるためのライン８２２と、電子情報ボード８１０とＰＣ８２０との間でデータ送受信を行うためのＵＳＢとなどのバスライン８２４により相互接続されている。ＰＣ８２０と、電子情報ボード８１０が管理するデータベース８４０との間のデータ転送は、各種の方式を利用して行うことができ、例えばＦＴＰなどのファイル転送プロトコルを使用することもできる。しかしながら、図７に示した実施形態では、電子情報ボード８１０の管理するデータベース８４０を登録するハードディスクドライブや着脱可能なＵＳＢメモリなどをＰＣ８２０の拡張ドライブとして認識させることで、ＰＣ８２０が含むメモリアクセスインタフェースをそのまま利用してアクセスすることでもよい。この際、データベース８４０は、複数の参加者に対して共有可能に設定されていることが必要である。
【００５０】
参加者Ｂは、会議に参加した時点で、電子情報ボード８１０にアクセスし、それまでの会議の進行に係る画像データを検索して、ＰＣ８２０のデスクトップ画面上に表示させる。画像データの検索は、例えば図５に示した表示ウィザードを開き、電子情報ボード８１０のアドレスを指定してデータベース８４０から検索することにより行われる、画像データの表示は、検索された画像データをＰＣ８２０が取得することにより行われる。
【００５１】
図８は、図７に示した画像表示システム８００の機能ブロックを示す。図８に示した機能ブロックは、図２に示したと同様の機能を提供するものである。しかしながら、画像表示システム８００では、電子情報ボード８１０がスナップショットログ８４２およびメタデータを管理するため、モード情報取得部９１４、データ作成部９１６、ユーザ情報取得部９１８およびメタデータ作成部９２０が電子情報ボード８１０側に実装される。また、図２に示した座標出力部１１８および座標入力部１４４は、座標以外の入出力を行うことが必要になるため、データＩ／Ｏ部９２４、９３２としてそれぞれ記述されていて、例えば汎用のＵＳＢインタフェースに置換されている。説明する実施形態では、ＰＣ８２０がホストとして、電子情報ボード８１０がデバイスとして機能する。
【００５２】
電子情報ボード８１０は、図２で説明したと同様の機能を有するイベントハンドラ９２６を備えており、イベントハンドラ９２６は、ＰＣ８２０または電子情報ボード８１０からの特定のイベントが発生すると、当該イベントを認識し、画像データを生成し、メタデータ作成部９２０がメタデータを生成するための各種情報をＰＣ８２０および電子情報ボード８１０自体の適切な機能処理部から回収してメタデータを作成し、データベース８４０に画像データとともに格納する。
【００５３】
一方、ＰＣ８２０は、自己が表示させるべき資料データ、手書データおよびＷＢデータを分離して管理し、会議の進行に対応してＰＣ８２０から参加者が電子情報ボード８１０に提供して共有させたデータの一部を分離して管理する。
【００５４】
図９は、画像表示システム８００が実行する画像表示方法のフローチャートを示す。図９の処理は、ステップＳ１０００で、電子情報ボード８１０を使用する参加者Ｂが電子情報ボード８１０を操作している状況から開始する。この理由は説明する実施形態では、ＰＣ８２０は、すでに始まっている会議に途中から参加するためである。ステップＳ１００１で電子情報ボード８１０が所定のイベントを生成し、ステップＳ１００２で当該イベントを例えばイベントハンドラといったイベントハンドラが検出する。一方、ＰＣ８２０も例えば他の参加者Ａによりイベントを生成することができ、当該イベントは、本実施形態では、ステップＳ１０１３において、参加者ＢがＰＣ８２０上で特定のイベント、例えばマウスクリックやタッチパネルに触れるなどのイベントを生成することにより開始され、ステップＳ１０１４で、当該タッチに対応するイベントが生成される。
【００５５】
生成されたイベントは、電子情報ボード８２０のイベントハンドラに送付され、ステップＳ１００２でイベント受信として処理される。電子情報ボード８１０のイベントハンドラは、第１の実施形態と同様に、ＰＣ８２０および電子情報ボード８１０からのイベントをその操作モード状態に応答していずれか一方または両方を統合して処理する。電子情報ボード８１０は、ステップＳ１００３で、現在ＰＣ８２０が実行している操作モードを識別するためのモード情報をＰＣ８２０に対して要求し、ＰＣ８２０は、ステップＳ１０１５で当該モード情報要求を受信し、現在のモード情報を、適切なランタイムデータを格納するメモリから取得し、ステップＳ１０１６で電子情報ボード８１０にモード情報通知として送信する。電子情報ボード８１０は、ステップＳ１００４でモード情報を取得する。
【００５６】
ステップＳ１００５で、取得したモード情報についてＰＣモード、手書モード、またはＷＢモードのいずれか、またはそれ以外かの判断を行う。ステップＳ１００５の判断でモード情報が、ＰＣ、手書、ＷＢモードのいずれでもない場合（ｎｏ）、処理をステップＳ１０１９に進め、一連の処理を終了する。また、ステップＳ１００５で、ＰＣ、手書、ＷＢモードのいずれかと判断された場合（ｙｅｓ）、ステップＳ１００６でイベントが図３に関連して説明した所定のイベントであるか否かを判断する。
【００５７】
ステップＳ１００６で、所定のイベントではない場合（ｎｏ）、制御をステップＳ１０１９に渡し、処理を終了する。一方、ステップＳ１００６でイベントが所定のイベントである場合（ｙｅｓ）処理をステップＳ１００７およびステップＳ１００９に分岐させ、スナップショットの生成とメタデータの生成を並列的に実行する。
【００５８】
ステップＳ１００７、ステップＳ１００８、ステップＳ１０１１、ステップ１０１２の処理は、処理主体がＰＣ１４０から電子情報ボード８１０に変わっただけで同様の処理が利用されるので、本実施形態では詳細な説明は省略する。電子情報ボード８１０は、ステップＳ１００９でＰＣ８２０に対して参加者Ｂのユーザ情報を要求し、ステップＳ１０１７でＰＣ８２０が当該ユーザ情報要求を受領して、ステップＳ１０１８では、ＰＣ８２０は、自己のユーザ情報を電子情報ボード８１０に送付する。ステップＳ１０１０で電子情報ボード８１０は、ＰＣ８２０のユーザ情報を取得し、ステップＳ１０１１におけるメタデータ生成のために利用することで、電子情報ボード８１０がメタデータを生成することが可能となる。
【００５９】
図１０は、本実施形態で、ＰＣ８２０のデスクトップ画面上に表示される表示ウィザード１１００および表示される画像シーケンス１１２０を示す。図１０に示した実施形態では、参加者Ｂは、表示ウィザード１１００をデスクトップ画面上に表示させ、プルダウンリスト１１０２、１１０４で、全スナップショットの表示を要求し、再生開始のアイコン１１１２をクリックすると、全部のイメージが電子情報ボード８１０およびＰＣ８２０から検索されて、表示領域１１１０に時間経過に対応して表示され、画像シーケンス１１２０として提供される。画像データなどを含むイメージの検索は、電子情報ボード８１０およびＰＣ８２０をその順に行うことができるが、この理由は、説明する実施形態ではより以前の会議に関連するデータは、電子情報ボード８１０が保有しているためである。
【００６０】
さらに説明する実施形態では他の画像シーケンスを表示させることができる。図１１は、参加者を指定し、特定の参加者が会議において行った電子情報ボード８１０を利用したプレゼンテーションシーンを画像シーケンスとして表示させる実施形態である。図１１に示す表示ウィザード１２００では、プルダウンリスト１２０２でＷＢモードとしてメタデータに登録されたイメージが指定され、またプルダウンリスト１２０４では、参加者Ｂに関連するデータが指定されている。
【００６１】
この指定を行った後、参加者Ｂがアイコン１２１２をクリックすると、参加者Ｂが行ったプレゼンテーションのシーンが表示領域１２１０にプレゼンテーションシーン１２２０として再生表示される。
【００６２】
図１２は、第３の実施形態の画像表示システム１３００を示す。図１２に示した実施形態は、スナップショットログおよび議事録の共用性をさらに高める目的で電子情報ボードをネットワーク接続し、複数のＰＣに対して電子情報ボード、スナップショットログ、議事録を共用させる実施形態である。図１２に示した画像表示システム１３００は、電子情報ボード１３１０と、複数のＰＣ１３５０ａ〜１３５０ｃと、議事録サーバ１３３０と、ユーザ情報サーバ１３６０とを含んで構成されており、これらの各ノードは、イーサネット（登録商標）などによりネットワーク１３８０を介して相互接続されている。
【００６３】
図１２に示す実施形態では、ＰＣ１３５０ａ〜１３５０ｃは、それぞれの参加者がそのプレゼンテーションのために使用する資料データＡ〜Ｃのみを例えばハードディスクドライブや、ＵＳＢメモリなどの記憶装置に保管し、ユーザ情報は、ユーザ情報サーバ１３６０が管理するユーザ情報データベース１３７０に、電子情報ボード１３１０は、手書データ１３２２、スナップショットログ１３２４、ＷＢデータ１３２６、メタデータ１３２８をデータベース１３２０に登録し、議事録は、で議事録サーバ１３３０が管理するデータベース１３４０にそれぞれ登録されている。
【００６４】
図１２に示した実施形態では、電子情報ボード１３１０がユーザを特定せず、電子情報ボード１３１０には、ユーザ情報データベース１３７０による認証を経た後にアクセスするアクセス認証プロセスが追加される。このアクセス認証プロセスは、ＰＣ１３５０ａ〜１３５０ｃに実装される画面共有部により行われる。なお、図１２に示した実施形態では、ＰＣ１３５０ａ〜１３５０ｃは、各サーバ１３３０、１３６０、および電子情報ボード１３１０のＩＰアドレスやドメインネームなどのネットワークデータを、例えば、議事録サーバ１３３０などに問い合わせて取得することができる。
【００６５】
さらに、図１２に示した画像表示システム１３００では、資料データＡなどの送付は、電子情報ボード１３１０に対してＦＴＰまたはＨＴＴＰなどのファイル転送プロトコルを利用してアップロードすることにより行うことができ、電子情報ボード１３１０は、資料データのアップロードに成功した場合、受領した資料データを、ＰＣ１３５０ａからの指令に応じて頁送り・頁戻し、または共有させるべき資料の頁の送信を実行させることで共有させることができる。
【００６６】
図１３は、図１２に示した画像表示システム１３００の機能ブロック図を、電子情報ボード１３１０および特定のＰＣ１３５０ａについて例示的に示す。他のＰＣ１３５０ｂ〜１３５０ｃも同様の構成が備えられている。図１３に示した実施形態では、図２および図７に示した各機能部のほとんどが、電子情報ボード１３１０側に集約されており、電子情報ボード１３１０とＰＣ１３５０ａとの間は、それぞれネットワークインタフェースカード（ＮＩＣ）といった通信部１４３０、１４４０により接続されている。電子情報ボード１３１０が含む機能は、図２および図７で説明したと同様の機能部から構成されているので、以下、ＰＣ１３５０ａの構成について説明する。
【００６７】
ＰＣ１３５０ａは、通信部１４４０と、資料再生部１４５０と、画面共有部１４６０と、画面再生部１４７０とを含んで構成されており、さらに、ＰＣ１３５０ａを利用してプレゼンテーションを行うため、資料データＡが記憶装置１４８０に保管されている。資料再生部１４５０は、電子情報ボード１３１０に表示させるべき資料データＡを作成したアプリケーションまたは当該データにアクセスすることができる適切なビュワーとして構成することができ、市販のアプリケーションソフトウェアの他、フリーウェアやシェアウェアなどいかなるものでも利用することができる。
【００６８】
また、画面共有部１４６０は、ＷＢ制御部の機能の他、アクセス認証機能を備えており、ＰＣ１３５０ａのオペレータが、電子情報ボード１３１０にアクセスしようとする場合、ユーザ情報サーバ１３６０にアクセスしてユーザ情報のアクセス権限を検証し、ＰＣ１３５０ａによる電子情報ボード１３１０へのアクセスを制御する。その他の機能は、上述したようにすでに説明した第１の実施形態および第２の実施形態で説明したＷＢ制御部の機能を継承している。
【００６９】
さらにＰＣ１３５０ａは、画面再生部１４７０を含んでいて、ネットワーク１３８０を介して検索条件を電子情報ボード１３１０に送付して、データベース１３２０を検索し、検索条件にマッチングした画像データを読み出して、デスクトップ画面上に表示させる。
【００７０】
図１４は、本実施形態の画像表示システム１５００が実行する処理のフローチャートである。図１４の処理は、ステップＳ１５００で、参加者がＰＣ１３５０ａを操作してイベントを生成することから開始する。ステップＳ１５０１でタッチパネルからの所定のイベントを生成すると、ステップＳ１５０２で当該イベントを例えばイベントハンドラといったイベントハンドラが検出する。一方、ＰＣ１３５０ａもイベントを生成することができ、当該イベントは、本実施形態では、ステップＳ１５１４において、参加者ＡがＰＣ１３５０ａにおいてマウスイベントなどを生成することによって行われ、ステップＳ１５１５で所定のイベントが生成されると、イベントがステップＳ１５１２で画面共有部１４６０に送付される。画面共有部１４６０は、ステップＳ１５１３で、受領した当該イベントの内容を電子情報ボード１３１０に送付する。電子情報ボード１３１０は、ステップＳ１５０２でイベントを受信する。
【００７１】
受信されたイベントは、電子情報ボード１３１０からのものかまたはＰＣ１３５０ａからのイベントかにかかわらず、電子情報ボード１３１０のイベントハンドラに送付され、受信イベントとして処理される。電子情報ボード１３１０のイベントハンドラは、ステップＳ１５０３でイベントを受領すると、ステップＳ１５０４で、取得したモード情報についてＰＣモード、手書モード、またはＷＢモードのいずれか、またはそれ以外かの判断を行う。ステップＳ１５０４の判断でモード情報が、ＰＣ、手書、ＷＢモードのいずれでもない場合（ｎｏ）、処理をステップＳ１５０８に進め、一連の処理を終了する。また、ステップＳ１５０４で、ＰＣ、手書、ＷＢモードのいずれかと判断された場合（ｙｅｓ）、ステップＳ１５０５でイベントが所定のイベントであるか否かを判断する。所定のイベントとしては、上述した実施形態と同様に、一連の操作が終了したことを示す、「Ｃｌｉｃｋ」か、または「Ｅｎｔｅｒ」などを割り当てておくことができる。
【００７２】
ステップＳ１５０５で、所定のイベントではない場合（ｎｏ）、制御をステップＳ１５０８に渡し、処理を終了する。一方、ステップＳ１５０５でイベントが所定のイベントである場合（ｙｅｓ）、処理をステップＳ１５０６およびステップＳ１５０９に分岐させ、スナップショットの生成とメタデータの生成を並列的に実行し、以後、図３および図９で説明した処理によって、画像データおよびメタデータを生成し、スナップショットログおよびメタデータとして保存し、ステップＳ１５０８で一連の処理を終了する。
【００７３】
図１５は、本実施形態の画像表示システム１３００のＰＣ１３５０ａが表示する表示ウィザード１６００および画像シーケンスの実施形態を示す。表示ウィザード１６００には、プルダウンリスト１６０２、１６０４、１６０６が形成されており、プルダウンリスト１６０２は、画像が生成されたモードを指定するものであり、図１５に示した実施形態ではすべてのモードが指定されている。また、プルダウンリスト１６０６は、参加者を指定するために設けられていて、図１５の実施形態では、全参加者を検索するように指定されている。また、プルダウンリスト１６０４には、モード情報と参加者とを検索する際の検索式を指定するための演算子が指定されており、説明する実施形態では、演算子として「ＡＮＤ」が指定されている。演算子は、この他、「ＯＲ」などを指定することができる。
【００７４】
プルダウンリスト１６０２〜１６０６までの指定が終了した後、アイコン１６１２をクリックすることで、検索が開始され、検索されたイメージがＰＣ１３５０ａにバッファリングされ、表示切り替え期間の間表示領域１６１０に表示され、画像のレビューが可能とされる。なお、イメージ再生を止めたい場合、アイコン１６１２を再度クリックすることで、任意の時間だけ表示されている画像をレビューすることができる。以上の処理によって画像シーケンス１６２０が順に表示領域１６１０に表示される。
【００７５】
図１６は、本実施形態により形成される画像シーケンスの他の実施形態である。図１６に示した実施形態は、図１５に示した画像シーケンスから、参加者Ｂが関連している画像をすべて抽出するべく表示ウィザード１７００から検索条件を設定し、検索の結果表示領域１７１０に表示される。画像シーケンス１７２０は、検索条件に一致した画像を、時系列順に表示しており、参加者Ｂの会議における活動を追跡しやすくしているのがわかる。なお、画像シーケンス１７２０で途中で抜けている位置は、表示を行わないことを示しているわけではなく、検索されたかった画像が存在することを示すものであり、再生プロセス上では、画像シーケンス１７２０は、途切れる来なく再生されることになる。
【００７６】
以上、本実施形態によれば、電子上ボードを使用して行われた会議やミーティングのレビュー効率を改善することで、より、効率的な情報の共有化を可能とすることができる画像表示システム、画像表示方法およびプログラムが提供できる。
【００７７】
本実施形態の上記機能は、Ｃ＋＋、Ｊａｖａ（登録商標）、Ｊａｖａ（登録商標）Ｂｅａｎｓ、Ｊａｖａ（登録商標）Ａｐｐｌｅｔ、Ｊａｖａ（登録商標）Ｓｃｒｉｐｔ、Ｐｅｒｌ、Ｒｕｂｙなどのオブジェクト指向プログラミング言語などで記述された装置実行可能なプログラムにより実現でき、プログラムは、ハードディスク装置、ＣＤ−ＲＯＭ、ＭＯ、フレキシブルディスク、ＥＥＰＲＯＭ、ＥＰＲＯＭなどの装置可読な記録媒体に格納して頒布することができ、また他装置が可能な形式でネットワークを介して伝送することができる。
【００７８】
これまで本実施形態につき説明してきたが、本発明は、上述した実施形態に限定されるものではなく、他の実施形態、追加、変更、削除など、当業者が想到することができる範囲内で変更することができ、いずれの態様においても本発明の作用・効果を奏する限り、本発明の範囲に含まれるものである。
【符号の説明】
【００７９】
１００  画像表示システム
１０２  表示要素
１０４  ライン
１０６  ライン
１０８  イメージ
１１０  電子情報ボード
１１２  画面表示部
１１４  ビデオ入力部
１１６  座標検知部
１１８  座標出力部
１２０  データベース
１２２  ユーザ情報データ
１２４  資料データ
１２６  手書データ
１２８  ＷＢデータ
１３０  スナップショットログ
１３２  メタデータ
１４０  コンピュータ
１４２  ビデオ出力部
１４４  座標入力部
１４６  資料再生部
１４８  手書処理部
１５０  ＷＢ制御部
１５２  モード切替部
１５４  データ作成部
１５６  ユーザ情報取得部
１５８  メタデータ作成部
１６０  画面再生部
１６２  イベントハンドラ
４００  メタデータ
４０２  メタデータ
４０４  会議ＩＤ
４０６  場所
４０８  日付
４１０  開始時間
４１２  終了時間
４１４  参加者
４１６  画像コンテナ
４１６ａ  画像データ１
【先行技術文献】
【特許文献】
【００８０】
【特許文献１】特開平６−２０５１５１号公報
【図１】
2012058799.tif 000003
【図２】
2012058799.tif 000004
【図３】
2012058799.tif 000005
【図４】
2012058799.tif 000006
【図５】
2012058799.tif 000007
【図６】
2012058799.tif 000008
【図７】
2012058799.tif 000009
【図８】
2012058799.tif 000010
【図９】
2012058799.tif 000011
【図１０】
2012058799.tif 000012
【図１１】
2012058799.tif 000013
【図１２】
2012058799.tif 000014
【図１３】
2012058799.tif 000015
【図１４】
2012058799.tif 000016
【図１５】
2012058799.tif 000017
【図１６】
2012058799.tif 000018